(57)【要約】【課題】小さな占有面積で多くの長尺資材を収納でき、簡単に資材の出し入れができる長物資材収納棚を提供する。【解決手段】この発明の長物資材収納棚１は、所定の間隔をあけて平行に設けられた水平支持部材２と、水平支持部材２を所定の高さに支持する垂直支持部材３と、それぞれの水平支持部材２に対してその長さ方向に沿って移動可能に設けられた資材支持部材４を有し、資材支持部材４に長物資材ｘを収納するときには資材支持部材４を手前側に移動し、クレーンなどによって資材ｘの出し入れを行う。【選択図】図２
2019104557.tif 000002
【特許請求の範囲】
【請求項１】
所定の間隔をあけて平行に設けられた水平支持部材と、
水平支持部材を所定の高さに支持する垂直支持部材と、
それぞれの水平支持部材に対してその長さ方向に沿って移動可能に設けられた資材支持部材を有する長物資材収納棚。
【請求項２】
水平支持部材はその長さ方向に沿って上面に開口部を有する筒状の部材であり、
資材支持部材は水平支持部材の内部に入れ子に収められる部分と、水平支持部材の開口部を介して水平支持部材の外部に出ている部分を有し、
水平支持部材の内部にはローラが設けられており、資材支持部材は水平支持部材の内部においてローラを介して水平支持部材に対して移動可能に支持されている請求項１に記載の長物資材収納棚。
【請求項３】
資材支持部材の長さ方向に沿って下面に設けられたラックと、
水平支持部材の下面の一部に設けられたラック露出窓部と、
ラックに係合するピニオンと、
ピニオンを駆動する駆動部材を有する請求項２に記載の長物資材収納棚。
【発明の詳細な説明】
【技術分野】
【０００１】
この発明は、長尺物の資材を収納・保管する置場となる棚に関する。
【背景技術】
【０００２】
大型の機械の架台などを製造するとき、長尺物の資材を所定の長さに切り出して、それを溶接やねじ止めなどで接続して骨格を形成していく。長尺物の資材は形状や大きさが規格化されたものが使用される。複数種の長尺資材を予め取り寄せておき、使用する箇所に合あった種類のものを選択し、適切な長さに切断して使用していく。したがって、製造現場では必要な種類の長尺資材が十分な本数だけ常時準備されていなければならない。これらの資材は、現場の床に平積みされている。
【０００３】
また、特許文献１には、簡単な構造で容易に長尺物の出し入れができ、かつスペースの有効利用が図れることを目的とした長尺物の保管棚が提案されている。複数の支分棚を有する棚本体とその正面に対して平行に移動できる移載機とで構成し、支分棚の底部には保管される長尺物の進退用のローラを定間隔で配し、その外端の駆動ローラには同一の電動モータを結合する。移載機は、先端のローラを駆動ローラとした搬送ローラ列及びアーム本体を進退自在とした支持アームを備えたテーブル部材と、テーブル部材を昇降させる昇降機構を備えた移動装置とで構成したものである。
【先行技術文献】
【特許文献】
【０００４】
【特許文献１】特開平１０−８７０２４号公開特許公報
【発明の概要】
【発明が解決しようとする課題】
【０００５】
これまで現場でなされているような資材を床に平積みするやりかたでは、それによって大きな面積が占有されてしまう。現場においても作業スペースは限定されており、無制限に資材置場に場所をさくことはできない。そこで、多くの現場では、多くの長尺資材が重なった状態で積まれている。このような状態では、下の方にある資材を使用する場合、その上にある資材をすべて取り除かなければならない。重量が大きい資材であれば、その度にクレーンで吊り上げて移動させる必要がある。
【０００６】
多段の棚を使用してスペースを節約することが考えられるが、重量の大きい長尺資材はクレーンにより吊り下げて出し入れする必要があるので、横方向から出し入れすることはできない。したがって、最上段以外の段の棚は資材置場として使用できない。特許文献１の長尺物の保管棚であれば、正面側から資材の出し入れをすることができる。しかし、この保管棚ではすべての支分棚に対して複数の進退用のローラを定間隔で配する必要があり、複雑かつ高価なものになる。また、長尺物の長さ方向に移動させて出し入れするので、長い距離を移動させる必要があり、移動時間が大きくなる。さらに、この保管棚の前には、資材の長さ分だけのスペースが出し入れ作業のために必要となり、大きな面積が取られることになる。
【０００７】
この発明は、小さな占有面積で多くの長尺資材を収納でき、簡単に資材の出し入れができる長物資材収納棚を提供することを目的とする。
【課題を解決するための手段】
【０００８】
上述の課題を解決するため、この発明の長物資材収納棚は、所定の間隔をあけて平行に設けられた水平支持部材と、
水平支持部材を所定の高さに支持する垂直支持部材と、
それぞれの水平支持部材に対してその長さ方向に沿って移動可能に設けられた資材支持部材を有する。そして、水平支持部材はその長さ方向に沿って上面に開口部を有する筒状の部材であり、
資材支持部材は水平支持部材の内部に入れ子に収められる部分と、水平支持部材の開口部を介して水平支持部材の外部に出ている部分を有し、
水平支持部材の内部にはベアリングが設けられており、資材支持部材は水平支持部材の内部においてベアリングを介して水平支持部材に対して移動可能に支持されているが好ましく、また、資材支持部材の長さ方向に沿って下面に設けられたラックと、水平支持部材の下面の一部に設けられたラック露出窓部と、ラックに係合するピニオンと、ピニオンを駆動する駆動部材を有することが好ましい。
【発明の効果】
【０００９】
この発明の長物資材収納棚は小さいスペースで多くの長尺資材を収納でき、しかも、それらの資材を簡単に出し入れすることができる。
【図面の簡単な説明】
【００１０】
【図１】長物資材収納棚を示す正面図である。
【図２】同右側面図である。
【図３】同平面図である。
【図４】水平支持部材と資材支持部材を示す斜視図である。
【図５】水平支持部材を示す斜視図である。
【図６】資材支持部材を示す斜視図である。
【図７】水平支持部材と資材支持部材の詳細を示す拡大右側面図である。
【図８】同平面図である。
【図９】同断面図である。
【図１０】長物資材の収納方法を示す概念図である。
【発明を実施するための形態】
【００１１】
この発明を実施するための形態について、図面に基づいて説明する。図１は長物資材収納棚を示す正面図、図２は同右側面図、図３は同平面図である。
【００１２】
長物資材収納棚１は所定の間隔をあけて平行に設けられた水平支持部材２と、水平支持部材を所定の高さに支持する垂直支持部材３と、それぞれの水平支持部材３に対してその長さ方向に沿って移動可能に設けられた資材支持部材４を有する。また、床部には装置全体を支える基礎部５が設けられいる。
【００１３】
図面に基いて本例の長物資材収納棚の構造を詳細に説明する。本例では、垂直支持部材３は一定の間隔をあけて、３体が設けられている。それぞれの垂直支持部材３は前部支柱６と後部支柱７の組み合わせになっており、それぞれが所定の間隔を置いて設けられており、その下端部は基礎部５に接続されている。
【００１４】
図４は水平支持部材と資材支持部材を示す斜視図、図５は水平支持部材を示す斜視図、図６は資材支持部材を示す斜視図である。図５と図６では内部の一部も表示している。水平支持部材２は垂直支持部材３に固定されており、資材支持部材４を長さ方向に沿って移動可能に支持する。
【００１５】
水平支持部材２は概ね長方形の断面形状の殻部によって形成される中空の筒状の部材であるが、その長さ方向に沿って上面に細い開口部８を有する。水平支持部材２の手前側の先端部において筒内に資材支持部材４を支持するためのローラ９が設けられている。このローラ９は、水平支持部材２の両側壁に１個ずつ、互いに対向して設けられている。ローラ９がある位置において水平支持部材２の上面にはローラ露出窓１０が設けられていて、ローラ９が水平支持部材２の上面よりもわずかに上に出ている。また、中間部の下面には開口部があり、ラック露出窓１１を形成している。
【００１６】
資材支持部材４は水平支持部材２と概ね同じ長さを有する棒状の部材である。垂直板部１２と、この垂直板部１２の上の上部水平板部１３と、垂直板部１２の下の下部水平板部１４より成り、略Ｉ字の断面を有する鋼材であり、たとえばＩ型鋼を用いることができる。
【００１７】
資材支持部材４の奥側の端部付近には、ローラ１５，１６が設けられている。水平支持部材２の上面壁の内面に接触する上側ローラ１５と、水平支持部材２の下面壁の内面に接触する下側ローラ１６の組み合わせであり、垂直板部１２の両面にそれぞれが取り付けられている。
【００１８】
資材支持部材４の下部水平板部１４の下面には、奥側の端部から中間部にかけてラック１７が設けられている。また、資材支持部材４の手前側の端部と中間部には垂直板１８，１９が上部水平板部１３の上に突き出すように設けられ、この間に資材支持部２０が形成される。手前側の垂直板１９は上に突き出した部分に加えてＩ型鋼の前面を覆うようにもなっている。
【００１９】
資材支持部材４のＩ型鋼の高さは、水平支持部材２の高さと概ね同じになっている。また、資材支持部材４の下部水平板部１４の幅は、水平支持部材２の両側壁の内面間の距離と概ね同じであるが若干狭い寸法になっている。さらに、水平支持部材２の開口部８は、資材支持部材４の垂直板部１２より若干広い幅になっている。したがって、資材支持部材４と水平支持部材２は入れ子の構造となっており、資材支持部材４の大部分は水平支持部材２の筒体の中に収容される。このとき、上部水平板部１４のみが水平支持部材２の筒体の上に現れる。
【００２０】
水平支持部材２のローラ９が資材支持部材４の上部水平板部１３の下面を支持する。また、水平支持部材２の内部では資材支持部材４の上側ローラ１５が上面壁の内面に接触し、下側ローラ１６が下面壁の内面に接触する。こうして、資材支持部材４は水平支持部材２に対してその長さ方向に沿って移動可能に支持される。水平支持部材２のラック露出窓部１１からは、資材支持部材４の下側に形成されたラック１７が露出している。
【００２１】
垂直支持部材３のそれぞれについて、水平支持部材２および資材支持部材４が同一高さに設けられる。本例では垂直支持部材３が３体設けられているので、３本の水平支持部材２および資材支持部材４が同一水平面で平行に設けられている。さらに、水平支持部材２と資材支持部材４は複数の高さに設けることもできる。本例では、３つの高さに水平支持部材２および資材支持部材４が設けられている。さらに、最上段にも、最上部資材支持部材２１が垂直支持部材３の上端部に設けられている。この最上部資材支持部材２１は水平支持部材２とほぼ同じ長さであり、垂直支持部材３に固定されている。そして、最上部資材支持部材２１および３つの高さの水平支持部材２は、その高さの間隔が等しくなっている。
【００２２】
前部支柱６には、水平なシャフト２２が回転自在に設けられている。このシャフト２２は、それぞれの高さの水平支持部材２の直下に設けられている。そして、それぞれのシャフト２２には垂直支持部材３と同数のピニオン２３が設けられ、それぞれのピニオン２３は資材支持部材４のラック１７にかみ合っている。さらに、各シャフト２２は、このシャフト２２を回転させるための駆動部材２４に接続されている。本例では、変速機を内蔵したギアードモータが使用されている。それぞれの高さの駆動部材２４は相互に独立して回転を制御できるようになっている。
【００２３】
駆動部材２４が回転することによってシャフト２２が回転し、ピニオン２３の回転が資材支持部材４のラック１７に伝達されて、その高さにある全ての資材支持部材４が連動して前後動する。駆動部材２４の回転方向により、資材支持部材４は水平支持部材に対してその長さ方向に沿って前進または後退する。
【００２４】
図７は資材支持部材および水平支持部材の一部を拡大した右側面図であり、真中にある資材支持部材および水平支持部材とシャフトの連結部付近の詳細を示す。図８は同平面図、図９は断面図である。前部支柱６と後部支柱７はそれぞれ断面が概ね長方形の中空四角柱の形状であるが、側面の一つには長さ方向に沿った開口があるので、断面はＣ字形状といえる。前部支柱６の開口部と後部支柱７の開口部は互いに向き合うように配置されている。
【００２５】
前部支柱６と後部支柱７には、水平支持部材２の断面形状にくり抜かれた穴が形成されていて、この穴を通して水平支持部材２は前部支柱６と後部支柱７の中に収納され、支持されている。この中央部の前部支柱６には駆動部材であるギヤードモーター２４も支持される。
【００２６】
水平支持部材２の後端部付近の上面にはボルトが上に突き出すように設けられ、基準点２５となっている。また、前部支柱６には前部リミットスイッチ２６が、後部支柱７には後部リミットスイッチ２７がそれぞれ設けられており、基準点２５であるボルトが接触したら、それに応じた信号を発生する。
【００２７】
次に、長物資材収納棚１の作用に基いて、長物収納方法を説明する。図１０は長物資材の収納方法を模式的に示す概念図である。通常は、資材支持部材４は奥に後退している。この状態では資材支持部材４の先端部は水平支持部材２の先端部とほぼ同じ位置になる。このときでも、最上部資材支持部材２１の上部を塞ぐものは存在しないので、最上部資材支持部材２１に対してはクレーンなどを使用して、上から長物資材の収納や取り出しを行うことができる。しかし、最上部資材支持部材２１以外の資材支持部材４では、そのままでは長物資材の出し入れはできない。資材支持部材４の上には最上部資材支持部材２１または他の資材支持部材４があるので、これが障害となってクレーンによる資材の上げ下げができないからである。
【００２８】
そこで、資材の出し入れを行いたい段の水平支持部材２の資材支持部材４を手前側に進出させることになる。その段の資材支持部材４に資材を収納したいときは、その段のシャフト２２に連結された駆動部材２４を資材支持部材４が手前に進出する方向に回転させる。駆動部材２４の回転はシャフト２２およびピニオン２３を介して伝達され、資材支持部材４を移動させる。１本のシャフト２２にはその段のすべての水平支持部材４のラックに係合するピニオン２３が設けられているので、その段の水平支持部材４は連動して一斉に移動する。資材支持部材４はローラ９，１５，１６を介して水平支持部材２に支持されているので、資材支持部材４は水平支持部材２に対してその長さ方向に沿って滑らかに移動する。
【００２９】
資材支持部材４の中間部の垂直板１８が水平支持部材４の先端部付近に達したら、前部リミットスイッチ２６が基準点２５であるボルトに接触し、信号を発生する。この信号に基いて駆動部材２４を止めることにより資材支持部材４は停止する。このとき、２つの垂直板１８，１９の間の資材支持部２０の大部分は、最上部資材支持部材２１よりも外側に突き出した状態となり、資材支持部１６の上は開放空間になる。したがって、クレーンを使用して自由に長尺資材ｘの出し入れを行うことができる。資材ｘの出し入れを終了したら駆動部材を逆方向に回転させ、資材支持部２０を最上部資材支持部材２１の下まで後退させる。後部リミットスイッチ２７が基準点２５であるボルトに接触し、信号を発生する。この信号に基いて駆動部材２４を止めることにより資材支持部材４は奥側の位置で停止する。
【００３０】
水平支持部材２と資材支持部材４は設置する建屋の高さ等に応じて任意の段数で設けることができる。段数が増えても、床の占有面積は変わらない。したがって、狭い場所に多種類の長尺資材を多数収納することができ、作業現場の空間を効率よく活用できる。
【００３１】
この発明の長物資材収納棚においては、資材支持部材４が移動しても後部支柱７よりも奥側に侵入することはない。また、後部支柱７よりも奥側に作業員が入る必要もない。したがって、後部支柱７を建屋の壁に沿って設置することができ、建屋の空間を有効に利用できる。
【００３２】
なお、本例では垂直支持部材２を形成している２本の支柱の間には資材支持部２０は進入しないので、この空間では資材支持部材４による長尺資材の収納は行われない。しかし、支柱の間には資材支持板を設けることにより、収納空間を形成することができもできる。この部分は可動式ではないので、人力で持ち上げることができるような軽量な資材を側方から出し入れすることになる。また、各種工具類など置くこともできる。こうして、支柱の間の空間も有効に活用できる。
【符号の説明】
【００３３】
１．長物資材収納棚
２．水平支持部材
３．垂直支持部材
４．資材支持部材
５．基礎部
６．前部支柱
７．後部支柱
８．開口部
９．ローラ
１０．ローラ露出窓
１１．ラック露出窓
１２．垂直板部
１３．上部水平板部
１４．下部水平板部
１５．上側ローラ
１６．下側ローラ
１７．ラック 
１８．垂直板 
１９．垂直板
２０．資材支持部 
２１．最上部資材支持部材
２２．シャフト 
２３．ピニオン 
２４．駆動部材
【図１】
2019104557.tif 000003
【図２】
2019104557.tif 000004
【図３】
2019104557.tif 000005
【図４】
2019104557.tif 000006
【図５】
2019104557.tif 000007
【図６】
2019104557.tif 000008
【図７】
2019104557.tif 000009
【図８】
2019104557.tif 000010
【図９】
2019104557.tif 000011
【図１０】
2019104557.tif 000012